(57)【要約】【課題】別体の内蓋、外蓋を一度に取り出すことができるようにする。【解決手段】上部開口部２を有する容器本体１と、上部開口部２を閉じる内蓋８と、内蓋８の上方に設けられ容器本体１に押し込み方向で蓋閉する外蓋９とを備え、内蓋８にはその上面の中央に凸部材16を上向きに設けると共に、この凸部材16の軸心14に上下方向を貫通する空気孔15を設け、外蓋９には凸部材16の掛かり部32が、着脱可能に係止可能な掛かり受け部33を設けると共に、掛かり部32が掛かり受け部33に係止しているとき空気孔15を封止可能な弾性シール部26を設けたことにより、閉栓時には弾性シール部26により空気孔を閉じ、さらに開栓時には外蓋９を取り外すと内蓋８も一体的に取り外すことができる。【選択図】図１
2011230807.tif 000002
【特許請求の範囲】
【請求項１】
開口部を有する容器本体と、前記開口部を覆い該開口部に接触可能な弾性止水パッキンを備えると共に内外を連通する空気孔を設けられた内蓋と、前記容器本体に螺合され前記内蓋を覆うように設けられると共に前記空気孔の外側に対向して設けられた弾性シール部を備えた外蓋と、前記外蓋が前記内蓋を押圧するときに前記内蓋に嵌合する嵌合手段を設けたことを特徴とする蓋付き容器。
【請求項２】
前記嵌合手段は前記外蓋に着脱自在に設けられることを特徴とする請求項１記載の蓋付き容器。
【請求項３】
前記内蓋と前記弾性シール部が嵌合状態にあるとき、前記弾性シール部が前記内蓋の天面に密着することを特徴とする請求項１記載の蓋付き容器。
【請求項４】
前記内蓋と前記外蓋の周方向の隙間に弾性抵抗体を介在したことを特徴とする請求項１記載の蓋付き容器。
【発明の詳細な説明】
【技術分野】
【０００１】
本発明は、蓋付き容器に関するものである。
【背景技術】
【０００２】
従来、この種のものとして、外筒と内筒からなりこれらの両者間を断熱すると共に上部開口を形成した保温容器本体と、上部開口を閉塞すると共に該上部開口に着脱自在に設けられる弾性止水パッキンを設けた内蓋と、保温容器本体に着脱自在に設けられて内蓋の外側を覆うと共に該内蓋に当接して押圧可能な外蓋を備え、内蓋に内外を連通する空気孔を設け、外蓋に空気孔を閉塞可能な空気孔閉塞パッキンを設けて、空気孔を設けた内蓋と外蓋に蓋を分け、内蓋に設けた小孔からなる空気孔を外蓋内に設けた空気孔閉塞パッキンで塞ぐことにより、減圧を容易に解除できるようにしている。
【先行技術文献】
【特許文献】
【０００３】
【特許文献１】特開２０９−２０１８５７号公報
【発明の概要】
【発明が解決しようとする課題】
【０００４】
前記従来技術のように内蓋と外蓋を分割した場合、開栓時にはまず外蓋を取り、さらに内蓋を取出すという二段作業が必要であった。また従来技術においては容器内部が減圧になり内蓋が容器内側に引っ張られることで、僅かに外蓋から離れる方向に動くため、外蓋に対して押さえ方向の抵抗が無くなることから、外蓋を開けるときに緩く感じ、蓋が緩んでしまったという誤解を与える問題があった。
【０００５】
解決しようとする問題点は、容器本体の開口部に別体の内蓋、外蓋を備えた蓋付き容器において、内蓋と外蓋を一度に取り出すことができるようにする点であり、また、蓋が緩んでしまったという誤解を与えないようにする点である。
【課題を解決するための手段】
【０００６】
請求項１の発明は、開口部を有する容器本体と、前記開口部を覆い該開口部に接触可能な弾性止水パッキンを備えると共に内外を連通する空気孔を設けられた内蓋と、前記容器本体に螺合され前記内蓋を覆うように設けられると共に前記空気孔の外側に対向して設けられた弾性シール部を備えた外蓋と、前記外蓋が前記内蓋を押圧するときに前記内蓋に嵌合する嵌合手段を設けたことを特徴とする蓋付き容器である。
【０００７】
請求項２の発明は、前記嵌合手段は前記外蓋に着脱自在に設けられることを特徴とする請求項１記載の蓋付き容器である。
【０００８】
請求項３の発明は、前記内蓋と前記弾性シール部が嵌合状態にあるとき、前記弾性シール部が前記内蓋の天面に密着することを特徴とする請求項１記載の蓋付き容器である。
【０００９】
請求項４の発明は、前記内蓋と前記外蓋の周方向の隙間に弾性抵抗体を介在したことを特徴とする請求項１記載の蓋付き容器である。
【発明の効果】
【００１０】
請求項１の発明によれば、嵌合手段を設けたことで、外蓋を容器本体より取り外したときに内蓋も一体的に取り外すことができる。
【００１１】
請求項２の発明によれば、外蓋と内蓋を着脱自在にすることで、蓋の扱いを容易に行うことができる。
【００１２】
請求項３の発明によれば、空気孔の止水を、弾性シール部さらには内蓋の天面との密着により２箇所で実施することができる。
【００１３】
請求項４の発明によれば、外蓋を内蓋と一体的に取り外すときに、弾性抵抗体により外蓋の開栓抵抗が付加されることで外蓋が緩んでしまったという誤解を与えないようにすることができる。
【図面の簡単な説明】
【００１４】
【図１】本発明の実施例１を示す分解状態の縦断面図である。
【図２】同蓋閉時の縦断面図である。
【図３】同蓋開時の縦断面図である。
【図４】同上方側からの分解斜視図である。
【図５】同下方側からの分解斜視図である。
【発明を実施するための形態】
【００１５】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１６】
図は実施例１を示しており、容器である金属又は樹脂製の保温容器本体１の上部開口部２に蓋３を着脱自在に設けたものである。保温容器本体１はステンレス鋼の有底な外筒４の内側に同じくステンレス鋼の有底な内筒５を設けると共に、これら外筒４と内筒５の上縁を接合して広口の上部開口部２を形成している。そして、外筒４と内筒５の間を断熱層たる真空層６とすることで断熱二重容器を形成している。また、内筒５における上部開口部２のやや下方には突起７が内側に向けて段状に設けられている。
【００１７】
前記蓋３は、樹脂製の平面が円形の樹脂製の内蓋８と、この内蓋８の上方を覆う樹脂製の平面が円形の樹脂製の外蓋９とを備える。内蓋８は内筒５の上縁内側を覆うものであり、上部開口部２の内周面（内筒５の内周面）に遊嵌する内周板部10の下部に内底板部11を設ける。そして、内周板部10の下部と内底板部11の外周とから形成される角部にシリコーンゴム等ゴム、エラストマー等弾性材料からなるパッキン状の止水用パッキン12が装着しており、内蓋８を上方から上部開口部２に落とし込んで止水用パッキン12を突起７に係止して閉栓できるようになっている。また内周板部10の内周面に止水用パッキン12と一体な弾性抵抗体13が止水用パッキン12に設けられており、この弾性抵抗体13は内側に突設して、容器本体１と蓋３における軸心14を中心として環状に配置されている。尚、弾性抵抗体13は止水用パッキン12とは別体に設けられていてもよい。
【００１８】
さらに、内底板部11の中央には軸心14に沿って上下方向を貫通する空気路である空気孔15が設けられる。この空気孔15は内底板部11の中央に上方に内底板部11と一体に立設した平面が略円形状の凸部材16の軸心14に沿って設けられたものであり、この凸部材16は内底板部11に連なる凸部材下部16Ａは上方へ次第に径小となる裁頭円錐形であり、この凸部材下部16Ａに連なる凸部材中間部16Ｂの下端の直径は円柱形である。
【００１９】
さらに凸部材中間部16Ｂに連なる凸部材上部16Ｃは凸部材中間部16Ｂよりも径大で頭部状に形成されており、その上端面16Ｄは水平面に形成されている。内底板部11の下面には空気孔15の下端を左右から間隔をおいて挟むように摘み17が設けられている。
【００２０】
そして、図１に示すように軸心14を中心として、凸部材下部16Ａの下端の直径をＡ、凸部材下部16Ａの上端の直径をＢ、凸部材中間部16Ｂの直径をＣ、凸部材上部16Ｃの直径をＤ、例えば直径２ｍｍ程度の空気孔15の直径をＥとしたとき、直径Ａは直径Ｂより大きく、直径Ｂは直径Ｃと同じ、直径Ｄは直径Ｃより大きく、ＢＢ直径（直径Ｃ）は直径Ｅより大きく形成されている。実施例では直径Ａ、直径Ｄ、直径Ｂ（直径Ｃ）、直径Ｅの順に小さく形成されている。なお、図中Ｆは凸部材上部16Ｃの高さを示している。
前記外蓋９は、内蓋８の上方を覆うものであり、上部開口部２を覆う外天板部18の外周に、外周面（外筒４の外周面）に螺合して取り付ける外周板部19が設けられる。そのために外周板部19に雌螺子部20が形成され、一方上部開口部２の外周面に雄螺子部21が形成される。
【００２１】
外天板部18の下面に軸心14と同心で有底な円筒部22が下向きに設けられており、この円筒部22の内部は、真空、空気或いは断熱材による断熱層23が形成されている。そして、円筒部22の側面板部は挿入時に弾性抵抗体13に圧接するようになっている。円筒部22の底面部材24は軸心14を中心として円形であり、その中央に上向きの凹部25が形成されており、この凹部25に凸部材16の接続部としての弾性シール部26が設けられている。
【００２２】
弾性シール部26は底面部材24の下面と同一面状にある凹部25の開口部を閉塞する閉塞板部27と、閉塞板部27から立設して凹部25の周面に嵌着する短筒部28と、短筒部28の上部開口部２を覆う空気孔閉塞パッキン29を有して、閉塞板部27と短筒部28とこの短筒部28の上部開口を覆うように設けられた空気孔閉塞パッキン29に囲まれて中空部30が形成され、これらはシリコーンゴム等ゴム、エラストマー等弾性材料からなり一体形成されている。そして閉塞板部27の外縁はフランジ状となっては底面部材24の下面に添着すると共に、中央には上下方向に貫通する貫通孔31が形成されている。尚、空気孔閉塞パッキン29は止水用パッキン12の止水を十分に達成できる程度の柔軟性を有し、外蓋９締め付け時に止水用パッキン12の押圧不足を招くことはないように形成されている。
【００２３】
そして、軸心14を中心としたとき縮小状態にある貫通孔31の幅である直径をＧ、拡張したときの幅である直径をＨ、短筒部28の内径をＩ、閉塞板部27と空気孔閉塞パッキン29との距離をＪ、空気孔閉塞パッキン29と凹部25の内天面との距離をＫ、さらに雄螺子部21と雌螺子部20との螺子長さをＬとしたとき、直径Ｈは直径Ｄより大きく、直径Ｄは直径Ｇより大きく、高さＦは距離Ｊと同じか高さＦは距離Ｊより大きい、また螺子長さＬは距離Ｋと同じか螺子長さＬは距離Ｋより多きく形成されている。
次に前記構成についてその作用を説明する。保温容器本体１、内蓋８、外蓋９を取り出し、内筒５にスープ、味噌汁のような汁など被収容物（図示せず）を収容した後に、図１に示すように内蓋８を上部開口部２に弾性抵抗体13の抵抗に抗しながら嵌入すると、止水用パッキン12が突起７に当接して液密状態となる。
【００２４】
次に外蓋９を内蓋８の上方から覆うように雌螺子部20を雄螺子部21に螺合して締め付ける。この締め付けによって外蓋９は下方に順次移動することで凸部材上部16Ｃが貫通孔31に圧入されることで、貫通孔31は直径Ｈまで拡張され、この結果、凸部材上部16Ｃは閉塞板部27に乗り上げ、凸部材上部16Ｃの下面が嵌合手段の一方である掛かり部32となって閉塞板部27の上面に抜け落ちないように係止される。このため閉塞板部27の上面の貫通孔31の近傍は嵌合手段の他方である掛かり受け部33となる。この際、高さＦ＝距離Ｊか高さＦ＞距離Ｊとなっているので、空気孔15の外側である上端は空気孔閉塞パッキン29に対向して接触することで封止される。
【００２５】
さらに、外蓋９を内蓋８に螺子長さＬまで締め付けると、図２に示すように凸部材上部16Ｃがさらに押込まれることで、空気孔15の上端が封止されたままの状態で空気孔閉塞パッキン29を上方に押圧して、空気孔閉塞パッキン29を凹部25の天面25Ａに押圧することで、内蓋８は外蓋９によって内側に押圧され、さらに外蓋９は容器本体１に緊着し、容器本体１の内部は密封状態となって被収容物は保温される。尚、比較的長時間の保温にあっては被収容物が多少冷めることで、容器本体１の内部はやや減圧状態となってしまう。
一方、開栓時は、外蓋９を回動して雌螺子部20と雄螺子部21との螺合をやや緩めると、外蓋９はやや持上がって空気孔閉塞パッキン29が凹部25の天面25Ａより離れ、この結果空気孔15の上端はわずかな隙間を介して中空部30と連通することで、中空部30の空気は空気孔15を介して容器本体１の内部に吸気され、容器本体１の内部を大気圧状態とする。
【００２６】
さらに、外蓋９を回動して雌螺子部20と雄螺子部21との螺合を緩めると、外蓋９はさらに持上がって外蓋９は容器本体１より抜け出る。この際、凸部材上部16Ｃの掛かり部32と閉塞板部27閉塞板との係止力が、内蓋８の重力に打ち勝って内蓋８は外蓋９と一体的に持ち上げられる。この際、外蓋９の筒部材と内蓋８との間には弾性抵抗体13が介在しているので、外蓋９を回動するとその回転力が弾性抵抗体13を介して内蓋８に伝達されることで、内蓋８は一体的に回動できるようになっている。このため、外蓋９を緩めているとき、内蓋８に取り付けられた外蓋９と干渉する弾性抵抗体13が抵抗となり開栓トルクを維持することができ、また外蓋９は減圧による内側への引っ張り抵抗を直接受けないため、スムーズに開くことができる。
【００２７】
尚、蓋３を洗うときには摘み17を摘んで強く引くことで、掛かり受け部33から掛かり部32が引き出されて、外蓋９と内蓋８を分離して洗うことができる。
【００２８】
以上のように、前記実施例では上部開口部２を有する容器本体１と、上部開口部２を閉じる内蓋８と、内蓋８の上方に設けられ容器本体１に押し込み方向で蓋閉する外蓋９とを備え、内蓋８にはその上面の中央に凸部材16を上向きに設けると共に、この凸部材16の軸心14に上下方向を貫通する空気孔15を設け、外蓋９には凸部材16の嵌合手段の一方である掛かり部32が、着脱可能に係止可能な嵌合手段の他方である掛かり受け部33を設けると共に、掛かり部32が掛かり受け部33に係止しているとき空気孔15を封止可能な弾性シール部26を設けたことにより、開栓時、外蓋９を取り外すと内蓋８も一体的に取り外すことができ、さらに内蓋８の空気孔15により減圧が解除されるため小さい力で容易に開栓することができる。また、開栓時、外蓋９に取り付けられた弾性シール部26によって内蓋８が把持されるため、外蓋９を開栓すれば内蓋８もそれに付随して取り外すことができる。
【００２９】
また、開栓時、内蓋８に取り付けられた弾性抵抗体13により外蓋９と内蓋８の回転方向に抵抗が発生し、外蓋９の開栓抵抗が付加されることで外蓋９が緩んでしまったという誤解を与えないようにすることができ、さらに、外蓋９締結時、弾性シール部26が凹部25の天面25Ａに密着することにより、空気孔15近傍の止水を２箇所で実施することができ、被収容物の外部への漏れを防ぐことができる。
【００３０】
しかも、空気孔15を閉塞するための空気孔閉塞パッキン29は、外蓋９に取り付けられているため、被収納物が空気孔閉塞パッキン29に触れずに汚れにくく、さらに閉塞板部27の掛かり受け部33に凸部材16の掛かり部32が係止した状態では、掛かり部32は内蓋８の表面に当接し、止水性を有することができる。
【符号の説明】
【００３１】
１  容器本体
２  上部開口
８  内蓋
９  外蓋
12  止水用シールパッキン
13  弾性抵抗体
15  空気孔
25Ａ  天面
26  弾性シール部
32  掛かり部（嵌合手段の一方）
33  掛かり受け部（嵌合手段の他方）
【図１】
2011230807.tif 000003
【図２】
2011230807.tif 000004
【図３】
2011230807.tif 000005
【図４】
2011230807.tif 000006
【図５】
2011230807.tif 000007